(57)【要約】【課題】  トイレットペーパを必要の長さだけ引き出すことが出来、省エネルギ化に貢献出来る簡便構造のトイレットペーパ巻取り装置を提供する。【解決手段】  装置本体１に枢支されているトイレットペーパ２はペーパ巻取りアーム部５の回転用ハンドル６の回転により必要な長さだけ引き出されペーパ切断用プレート４の作用により切断される。【選択図】図１
0003185535.tif 000002
【実用新案登録請求の範囲】
【請求項１】
トイレットペーパを必要分だけ巻取るための装置であって、該装置はロール状の前記トイレットペーパを回転自在に保持するペーパ支持軸と、該ペーパ支持軸を保持する装置本体と、該装置本体の基端側に片持ち枢支され前記トイレットペーパの頂部側を覆って配設されるペーパ切断用プレートと、前記装置本体の先端側に前記トイレットペーパの巾寸法に対峙して配置される一対のペーパ巻取りアーム部とからなり、該ペーパ巻取りアーム部は前記装置本体に枢支される回転用ハンドルと、該回転用ハンドルの先端側に連結され前記回転用ハンドルの回転動作により回転するアーム部と、該アーム部の両端側に配設され前記トイレットペーパを挟持又は支持する挟持用ピン部及び支持用ピン部とからなり、前記一対のペーパ巻取りアーム部はその一方側のアーム部の回転により同時に動作する連結機構部により連結されて配置されるものからなることを特徴とするトイレットペーパ巻取り装置。
【請求項２】
前記回転用ハンドルが手動又は自動のものからなることを特徴とする請求項１に記載のトイレットペーパ巻取り装置。
【請求項３】
前記自動の回転用ハンドルがスピードコントロール可能なモータからなることを特徴とする請求項２に記載のトイレットペーパ巻取り装置。
【考案の詳細な説明】
【技術分野】
【０００１】  本考案は、ロール状のトイレットペーパを必要とする長さだけ手動又は自動で巻取り、省エネルギ化に寄与するトイレットペーパ巻取り装置に関する。
【背景技術】
【０００２】  一般にトイレットペーパはペーパの先端側を手で把持して引っ張り出して切断用プレートを用いて切断する形式のものが使用されていた。そのため、必要以上の長さのものを引っ張り出す場合が多く、また、数回引っ張り出して使用する場合が多く省エネルギ化に対しては余り寄与しないものであった。トイレットペーパは通常は毎日使用するものであり、その巻取り長さの不均一の発生は前記のように省エネルギ化に反するものであり、その使用量は極めて膨大のものであり何等かの対策が必要であった。【０００３】  トイレットペーパの巻取り装置としては従来より各種のものが開示されてはいるが、簡便で動作性のよい、前記の問題点を解消するものは余り見当らないが例えば、「特許文献１」に示すものが挙げられる。
【先行技術文献】
【特許文献】
【０００４】
【特許文献１】登録実用新案第３１３２６８６号（図１）
【考案の概要】
【考案が解決しようとする課題】
【０００５】  前記の「特許文献１」の「実用新案登録第３１３２６８６号」の「電動トイレットペーパ巻き取り装置」はトイレットペーパーを自動巻取りするものであり、ベルトにより巻き込むものであり、手動のものではなく前記の問題点を解決するものではあるが、自動構造としてやや複雑のものであり、安価のものとは言えない。【０００６】  本考案は、以上の問題点を解決すべく考案されたものであり、トイレットペーパを手動又は自動で必要の長さだけ巻取ることが容易に出来、動作も容易で比較的安価に出来るトイレットペーパ巻取り装置を提供することを目的とする。
【課題を解決するための手段】
【０００７】  本考案は、以上の目的を達成するために、請求項１の考案は、トイレットペーパを必要分だけ巻取るための装置であって、該装置はロール状の前記トイレットペーパを回転自在に保持するペーパ支持軸と、該ペーパ支持軸を保持する装置本体と、該装置本体の基端側に片持ち枢支され前記トイレットペーパの頂部側を覆って配設されるペーパ切断用プレートと、前記装置本体の先端側に前記トイレットペーパの巾寸法に対峙して配置される一対のペーパ巻取りアーム部とからなり、該ペーパ巻取りアーム部は前記装置本体に枢支される回転用ハンドルと、該回転用ハンドルの先端側に連結され前記回転用ハンドルの回転動作により回転するアーム部と、該アーム部の両端側に配設され前記トイレットペーパを挟持又は支持する挟持用ピン部及び支持用ピン部とからなり、前記一対のペーパ巻取りアーム部はその一方側のアーム部の回転により同時に動作する連結機構部により連結されて配置されるものからなることを特徴とする。【０００８】  また、請求項２の考案は、前記回転用ハンドルが手動又は自動のものからなることを特徴とする。【０００９】  また、請求項３の考案は、前記自動の回転用ハンドルがスピードコントロール可能なモータからなることを特徴とする。
【考案の効果】
【００１０】  本考案の請求項１のトイレットペーパ巻取り装置によれば、ペーパ巻取り装置アーム部の回転用ハンドルの操作により、トイレットペーパは必要の長さだけ簡単に巻取ることが出来、省エネルギ化に貢献することが出来る。なお、回転用ハンドルの操作も容易であり、簡便に使用出来る。【００１１】  また、請求項２のトイレットペーパ巻取り装置によれば、回転用ハンドルが手動又は自動のものからなり、選択の自由度が図られる。【００１２】  また、請求項３のトイレットペーパ巻取り装置によれば、自動の回転用ハンドルはスピードコントロールが出来、トイレットペーパの厚みや材質に対応して適切の長さの巻取りが可能となる。
【図面の簡単な説明】
【００１３】
【図１】本考案のトイレットペーパ巻取り装置の全体構造を示す斜視図。
【図２】本考案のトイレットペーパ巻取り装置によるトイレットペーパの巻取り部の構造を説明するための側面図。
【図３】ペーパ巻取りアーム部における連結機構部の概要構造を示す模式図。
【図４】本考案のトイレットペーパ巻取り装置によるトイレットペーパの巻取り動作を説明するための模式図（ａ），（ｂ），（ｃ），（ｄ）。
【図５】回転用ハンドルとして自動のものを採用した場合のモータ構造の概要を示す一部側面図。
【考案を実施するための形態】
【００１４】  以下、本考案のトイレットペーパ巻取り装置の実施の形態を図面を参照して詳述する。
【実施例１】
【００１５】  図１に示すように、トイレットペーパ巻取り装置１００は大別して装置本体１と、この基端側に配設されてトイレットペーパ２を枢支するペーパ支持軸３と、トイレットペーパ２の頂部を覆って装置本体１の基端側に片持ち枢支されるペーパ切断用プレート４と、装置本体１の先端側にトイレットペーパ２の巾寸法だけ離れて対峙して配置される一対のペーパ巻取りアーム部５等とからなる。【００１６】  ペーパ巻取りアーム部５は、装置本体１に枢支される回転用ハンドル６と、この回転用ハンドル６の動作により回転するアーム部７と、アーム部７の両端に配置され、トイレットペーパ２を挟持する挟持用ピン部８及びトイレットペーパ２を支持する支持用ピン部９等とからなる。
また、ペーパ巻取りアーム部５はその一方側のアーム部７の回転により同時に動作する連結機構部１０により連結される。【００１７】  図１及び図２に示すように、装置本体１はベース台１ａとこの基端側に立ち上がって対峙して配設されるトイレットペーパ支持体１ｂとベース台１ａの先端側に立ち上がって配置されて回転用ハンドル６を枢支するハンドル軸枢支体１ｃ等とからなる。【００１８】  ペーパ巻取りアーム部５の回転用ハンドル６は図１に示すように、その一方側にのみ配置され、他方側は回転軸６ａのみがハンドル軸枢支体１ｃにより枢支される構造からなる。【００１９】  アーム部７に配置される挟持用ピン部８はトイレットペーパ２を挟持すべく互いに当接して配置される挟持用ピン８ａ，８ａとからなり、これ等は例えば、スプリングピンの如き構造のものからなり、その当接部が開口してスプリングバックする如き構造のものからなる。一方、支持用ピン部９は単純なピン体から形成される。【００２０】  連結機構部１０は図３に示すようにアーム部７に連結している回転軸６ａに設けられているベベルギヤ１１と、夫々のベベルギヤ１１，１１を連結するベベルギヤ構造体１２等とからなる。以上の構造により回転用ハンドル６を回転することにより一対のアーム部７が同時に回転することになる。なお、ベベルギヤ構造体１２は図示の構造に限定するものではない。【００２１】  次に、本考案のトイレットペーパ巻取り装置１００によるトイレットペーパ２の巻取り切断動作を図４により説明する。
まず、図４（ａ）に示すようにトイレットペーパ２を引き出しその先端部をアーム部７の挟持用ビン部８に挟持する。
この状態で回転用ハンドル６を半回転すると図４（ｂ）に示すように挟持用ピン部８が下方に図り、支持用ピン部９が上方に来てトイレットペーパ２を支持する。この状態でトイレットペーパ２は引き出しされる。更に、回転用ハンドル６を半回転すると図４（ｃ）に示すように挟持用ピン部８が上方に回り込み、支持用ピン部９が下方に来る。この状態でトイレットペーパ２は更に引き出される。
図４（ｄ）は更に回転用ハンドル６を回転させた状態を示すものでトイレットペーパ２は更に引き出される。
以上のように加点用ハンドル６を所定の回転数だけ回転することにより所定の長さのトイレットベーパ２が引き出され、最後に図４（ｄ）に示すようにペーパ切断用プレート４により引き出されたトイレットペーパ２の基端側を切断することにより所望の長さのトイレットペーパ２を切断することが出来る。
以上のように、回転用ハンドル６の回転動作に対応して一定の長さのハンドルペーパを切断することが出来る。なお、回転用ハンドル６を何回転するかは使用するトイレットペーパ２の内容によって経験的に決められる。
【実施例２】
【００２２】  図５は回転用ハンドル６を手動の代りに自動にしたものである。このモータ１３は回転軸６ａに連結すべくハンドル軸枢支体１ｃに配置されたものである。
モータ１３にはスピードコントローラ１４が配置され、モータ１３の回転数や速度をコントロールするものからなる。なお、モータ１３は電源部１５に連結される。
以上により、トイレットペーパ２の巻取り動作の自動化と巻取り長さ（引き出し長さ）のコントロールが可能になる。【００２３】  本考案は、以上の内容のものからなるが、この内容に限定するものではなく、同一技術的範疇のものが適用されることは勿論である。
【産業上の利用可能性】
【００２４】  本考案のトイレットペーパ巻取り装置１００は一般家庭用に適用される他に公共機関や工場等にも適用され、その利用範囲は広い。
【符号の説明】
【００２５】１    装置本体
１ａ  ベース台
１ｂ  トイレットペーパ支持体
１ｃ  ハンドル軸枢支体
２    トイレットペーパ
３    ペーパ支持軸
４    ペーパ切断用プレート
５    ペーパ巻取りアーム部
６    回転用ハンドル
６ａ  回転軸
７    アーム部
８    挟持用ピン部
８ａ  挟持用ピン
９    支持用ピン部
１０  連結機構部
１１  ベベルギヤ
１２  ベベルギヤ構造体
１３  モータ
１４  スピードコントローラ
１５  電源部
１００  トイレットペーパ巻取り装置
【図１】
0003185535.tif 000003
【図２】
0003185535.tif 000004
【図３】
0003185535.tif 000005
【図４】
0003185535.tif 000006
【図５】
0003185535.tif 000007